(57)【要約】【課題】  電気機器において、内部の配線が浮き上がることを防止する。【解決手段】  筐体２内に、その背壁４と平行に背壁４から離れて板状のケーブル通路３６を配置し、筐体２の外部から背壁４の近傍にケーブル３６が導入され、ケーブル通路３６を通り、筐体２の外部に導出される。ケーブル通路３２の側方の突部３８にケーブル抑え具４０が一体に設けられている。ケーブル抑え具４０は、ケーブル通路３２上でケーブル３６に接触するようにケーブル通路３６上に倒されている。【選択図】  図１
2015090919.tif 000002
【特許請求の範囲】
【請求項１】
筐体と、
この筐体内に設けられ、長さ方向に沿ってケーブルが通るケーブル通路と、
このケーブル通路の前記長さ方向の側方に設けられ、前記ケーブル通路上に前記ケーブルを押圧するように、前記ケーブル通路上に倒されるケーブル抑え具とを、
有する電気機器。
【請求項２】
請求項１記載の電気機器において、前記ケーブル抑え具は、前記ケーブル通路の縁に一体に形成されている電気機器。
【請求項３】
請求項１または２記載の電気機器において、前記ケーブル抑え具は、板状に形成され、その根本部分に切り込みが形成されている電気機器。
【請求項４】
請求項１乃至３いずれか記載の電気機器において、前記ケーブル抑え具には、チューブが被さられている電気機器。
【請求項５】
請求項１乃至４いずれか記載の電気機器において、前記ケーブル通路は傾斜面を有し、この傾斜面に前記ケーブル抑え具が設けられている電気機器。
【請求項６】
主壁を有する筐体と、
この筐体内に、前記主壁と平行に前記主壁から離れて配置された板状のケーブル通路と、
前記筐体の外部から前記主壁の近傍に導入され、前記ケーブル通路を通り、前記筐体の外部に導出されるケーブルと、
前記ケーブル通路の側方に設けられ、前記ケーブル通路上で前記ケーブルに接触するように前記ケーブル通路上に倒されるケーブル抑え具とを、
有する電気機器。
【請求項７】
請求項６記載の電気機器において、前記筐体における前記ケーブルの導出部分は、前記主壁に近い部分に設けられ、この導出部分に向かって傾斜する傾斜面を前記ケーブル通路が有し、この傾斜面で前記ケーブルに接触するように前記ケーブル抑え具が設けられている電気機器。
【発明の詳細な説明】
【技術分野】
【０００１】
本発明は、電気機器に関し、特に電気機器の内部に配置されたケーブルの処置に関する。
【背景技術】
【０００２】
電気機器の一例としては、例えば特許文献１に開示されたようなものがある。特許文献１では、電気機器として、太陽光発電用のソーラーパネルで発電した電力を調整して屋内配電線や電力会社の送電線に供給するためのパワーコンディショナーが示されている。更に、特許文献１では、多くの電力を必要とするために複数台のパワーコンディショナーを使用しており、設置スペースの観点から壁面の一箇所に複数台のパワーコンディショナーを設置している。各パワーコンディショナーは、接続箱に接続された配線を接続するための端子部を備え、接続箱からの配線は壁に設けた接続孔から壁面側に引き出される。壁の奥の配線が通っている場所や壁面の空きスペースなどの制約や、工事の利便性や、家屋の壁面に複数の接続孔を穿つことの見栄えの悪さなどの理由から、複数のパワーコンディショナーに対して接続孔を１箇所だけ開けることがある。この場合、複数台のパワーコンディショナーの筐体の外部に配線が露出することを防止するために、１台のパワーコンディショナーの内部に各パワーコンディショナーへの配線を引き込み、この１台のパワーコンディショナー内部に、他のパワーコンディショナーへの配線を通して、この１台のパワーコンディショナーから引き出して他のパワーコンディショナーの内部に配線を引き込むことが行われている。
【先行技術文献】
【特許文献】
【０００３】
【特許文献１】特開２０１３−１１０９１１号公報
【発明の概要】
【発明が解決しようとする課題】
【０００４】
特許文献１の技術では、１台のパワーコンディショナーの端から筐体内に配線を引き込んで、その引き込んだ端と反対側の端から配線を引き出す場合、筐体内の一方の端から他方の端まで配線を通すが、筐体内で、この通された配線が浮き上がることがある。配線が浮き上がった場合、筐体内で行う他の調整作業等の邪魔になり、配線が浮き上がることを避けることが望ましい。
【０００５】
本発明は、筐体内の配線が浮き上がることを防止した電気機器を提供することを目的とする。
【課題を解決するための手段】
【０００６】
本発明の一態様の電気機器は、筐体を有している。筐体は、例えば概略直方体状に構成することができる。この筐体内にケーブル通路が設けられている。このケーブル通路の長さ方向に沿ってケーブルが通過する。このケーブル通路の前記長さ方向の側方にケーブル抑え具が設けられている。このケーブル抑え具は、前記ケーブル通路上に前記ケーブルを押圧するように、前記ケーブル通路上に倒される。
【０００７】
このように構成された電気機器では、ケーブル通路上を走るケーブルは、ケーブル抑え具によってケーブル通路側に押圧されるので、ケーブルが浮き上がることが防止される。
【０００８】
ケーブル抑え具は、ケーブル通路の縁に一体に形成することができる。このように構成すると、別途ケーブルを縛る結束バンドなどの別部品を用意する必要が無く、その様な別部品をケーブル通路等に取り付ける必要が無く、組立を簡略化することができる。なお、ケーブル通路に隣接する電気機器収容物体、例えば電気機器のシャーシやヒートシンクに一体にケーブル抑え具を一体に形成することもできる。
【０００９】
前記ケーブル抑え具を板状に形成することもできる。その場合、ケーブル抑え具の根本部分に切り込みが形成されている。このように構成すると、ケーブル抑え具の根本部分に切り込みが形成されていることにより、その機械的強度を小さくすることができ、ケーブル抑え具の折り曲げが容易に行える。また、板状にケーブル抑え具を構成しているので、根本部分の切り込みの形成が容易に行える。
【００１０】
前記ケーブル抑え具に、チューブを被せることもできる。このように構成すると、ケーブル抑え具の縁に例えばバリがあっても、このバリによってケーブルが傷つけられることを防止することができ、ケース抑え具の製造を容易にすることができる。
【００１１】
前記ケーブル通路は傾斜面を有するものとすることができる。例えば、ケーブルの引出口が下方にある場合に、この傾斜面に沿ってケーブルを走らせることができる。この傾斜面に前記ケーブル抑え具が設けられている。このように構成すると、傾斜面において、ケーブルが浮き上がることを防止することができる。
【００１２】
本発明の他の態様の電気機器は、筐体を有している。この筐体は、主壁、例えば底壁を有するもので、上述した態様と同様に概略直方体状とすることができる。この筐体内に、前記主壁と平行に前記主壁から離れて、板状のケーブル通路が配置されている。前記筐体の外部から前記主壁の近傍にケーブルが導入され、前記ケーブル通路を通り、前記筐体の外部に導出される。前記ケーブル通路の側方にケーブル抑え具が設けられている。このケーブル抑え具は、ケーブル通路の縁にケーブル通路と一体に形成することもできるし、ケーブル通路と隣接する電気機器の他の構成部品、例えばシャーシやヒートシンクに一体に設けることもできる。このケーブル抑え具は、前記ケーブル通路上で前記ケーブルに接触するように前記ケーブル通路上に倒される。
【００１３】
このように構成すると、単に筐体内を通過させるものであって、浮き上がり易いケーブルをケーブル通路側に抑えることができ、浮き上がりを防止することができる。
【００１４】
前記筐体における前記ケーブルの導出部分を、前記主壁に近い部分に設けることができる、この場合、導出部分に向かって傾斜する傾斜面を前記ケーブル通路が有し、この傾斜面で前記ケーブルに接触するように前記ケーブル抑え具が設けられている。このように構成すると、傾斜面で浮き上がり易いケーブルも、その浮き上がりを防止することができる。
【発明の効果】
【００１５】
以上のように、本発明によれば、筐体内にあって浮き上がり易いケーブルが、浮き上がるのを防止することができる。
【図面の簡単な説明】
【００１６】
【図１】本発明の1実施形態の電気機器を3台一列に取り付けた状態の部分破断正面図及び部分破断底面図である。
【図２】図１の電気機器に設けたケーブル抑え具の拡大正面図及び側面図である。
【図３】図２のケーブル抑え具にチューブを取り付ける説明図である。
【発明を実施するための形態】
【００１７】
本発明の一実施形態の電気機器は、本発明をパワーコンディショナーに実施したもので、図１（ａ）、（ｂ）に示すように、複数台、例えば３台の同一構造のパワーコンディショナーが、同じ壁の壁面に横並びに配置されている。
【００１８】
パワーコンディショナーは筐体２を有している。筐体２は、概略直方体状に形成され、本体部２ａと正面カバー部２ｂとに分割形成されている。本体部２ａは、主壁、例えば矩形状の背壁４を備え、その周囲を側壁６、８と端壁１０、１２とが包囲している。なお、図示は省略してあるが、側壁６、８及び端壁１０、１２によって枠状に形成され、その背面側に、この枠状と別個に形成した背壁４が取り付けられている。背壁４は、例えば金属製で、壁面に取り付けられている。側壁６、８及び端壁１０、１２は、例えば合成樹脂製である。背壁４に対向して側壁６、８及び端壁１０、１２によって囲われた矩形の開口があり、この開口を正面カバー２ｂが覆っている。正面カバー２ｂも例えば合成樹脂製である。
【００１９】
背壁４から離れた状態で、本体部２ａ内には、シャーシ１４が配置されている。シャーシ１４は、例えば金属製で、端壁１０、１２間に、側壁６側から側壁８の近傍までの間に設けられている。シャーシ１４には、図示していないがヒートシンクが配置され、それに半導体スイッチング素子が取り付けられ、これら半導体スイッチング素子と協同して、パワーコンディショナーとして機能するための種々の部品がシャーシ上の基板１６、１８、２０に配置されている。
【００２０】
従来技術に関連して述べたように、壁面の接続孔から導出した３台のパワーコンディショナーに対する配線用のケーブルが、中央にあるパワーコンディショナーの背壁４の端壁１０に近い位置に形成した接続孔２２から中央のパワーコンディショナーの本体部２ａ内に導入される。この導入部分は、シャーシ１４と、背壁４上の端壁１０に近い位置に立てられた仕切り壁１５とで囲われた導入空間である。これらケーブルのうち、中央のパワーコンディショナー用のケーブル２４は、接続孔２２の近傍にある基板１８上のターミナル２６に接続されている。また、図１（ａ）、（ｂ）における左側にあるパワーコンディショナー用のケーブル２８は、端壁１０の背壁４に近い位置に設けた導出口３０から引き出され、左側のパワーコンディショナーの本体部２ａ内に導入されている。
【００２１】
また、図１（ａ）、（ｂ）における右側にあるパワーコンディショナー用のケーブル３２は、端壁１２の背壁４に近い位置に設けた導出口３４に向けて本体部２ａ内を通り、導出口３４から引き出され、右側のパワーコンディショナーの本体部２ａ内に導入されている。ケーブル３２は、端壁１０側から端壁１２側まで本体部２ａ内を通過する必要がある。そのため、ケーブル通路３６が本体部２ａ内に設けられている。
【００２２】
この実施形態では、ケーブル通路３６は、金属製で、背壁４に対しシャーシ１４とほぼ同一の高さ位置で、シャーシ１４と側壁８との間に位置している。ケーブル通路２６は、概略矩形に形成された板状で、仕切り壁１５から端壁１２側の中途まで伸びた直線状部と、この直線状部の端壁１２側の端から、端壁１２側の導出口３４に向かって傾斜した傾斜部分とを有している。このケーブル通路３６上をケーブル３２が通過して、導出口３４に向かう。なお、図１（ｂ）では、説明の都合上、ケーブル３２は、ケーブル通路３６からかなり浮いた状態で示してあるが、実際には、もっとケーブル通路３６に接近している。
【００２３】
このケーブル通路３６のシャーシ１４側の長手縁全域には、ケーブル通路３６に対してほぼ直角に位置する突部３８が形成されている。この突部３８には、その長さ方向に間隔を空けて複数、例えば２つのケーブル抑え具４０、４０が、一体に形成されている。従って、ケーブル抑え具４０も、金属製である。この実施形態では、ケーブル通路３６の直線状部にケーブル抑え具４０、４０が設けられている。
【００２４】
これらケーブル抑え具４０は、図２（ａ）、（ｂ）に示すように、先端が円弧状に形成された板状体で、その根本部分、例えば突部３８付近は、その両側から切り込み４２が形成され、幅が狭められている。これによって、ケーブル抑え具４０の機械的強度を小さくしてあり、図２（ｂ）に矢印で示すようのケーブル通路３６側に倒すことによって、ケーブル３２に接触させてある。これによって、ケーブル３２がケーブル通路３６上で浮き上がることを防止できる。ケーブル３２に比較的剛性の大きいものを使用した場合、導出口３４からケーブル３２を引き出した場合、ケーブル通路３２の直線状部上でケーブル３２が円弧状に浮き上がる可能性がある。このケーブル３２が浮き上がった状態では、ケーブル３２がシャーシ１４上の各種基板上での調整作業の邪魔になりやすく、ケーブル抑え具４０によってケーブル３２をケーブル通路３６上に抑えて、浮き上がらないようにすることは有効である。
【００２５】
図３に示すように、ケーブル抑え具４０には、チューブ４４を嵌めることが望ましい。チューブ４４は、その両端が開放されたもので、ケーブル抑え具４０の長さ寸法よりも若干短いものである。チューブ４２をケーブル抑え具４０に被せることによって、ケーブル抑え具４０のエッジに例えばバリが存在したとしても、このバリによってケーブル３２が損傷することが防止される。従って、バリ取りを精密に行う必要が無い。なお、チューブ４４としては、両端が開放されたものを図示したが、一端のみが開放されて、ケーブル抑え具４０の先端がチューブ４４の先端が突出しないように構成することもできる。
【００２６】
なお、図１（ａ）に破線で示すように、ケーブル抑え具４０を、ケーブル通路３６の傾斜部に形成することも可能である。ケーブル３２が比較的剛性が大きいものの場合、傾斜部に沿わせて導出口３４に引き出すことが難しく、ケーブル３２が傾斜部からかなり浮き上がる可能性があるが、このような場合に、傾斜部にケーブル抑え具４０を設けると、有効である。
【００２７】
ケーブル通路３６の突部３８におけるケーブル抑え具４０、４０の間に一体に支持板状部４６が形成され、この支持板状部４６の先端に、基板４８が基板２０よりも浮いた状態に取り付けられている。
【００２８】
上記の実施形態では、本発明をパワーコンディショナーに実施したが、これに限ったものではなく、他の電気機器に実施することもできる。上記の実施形態では、複数のパワーコンディショナーに対するケーブルを１台のパワーコンディショナーに引き込み、このパワーコンディショナーから両側のパワーコンディショナーにケーブルを引き込む場合に本発明を実施したが、これに限ったものではなく、例えばいずれかの端に位置するパワーコンディショナーに全てのケーブルを引き込み、この端のパワーコンディショナーから順に隣接するパワーコンディショナーにケーブルを引き込む場合にも、本発明を実施することができるし、或いは、１台の電気機器において一方の端から他方の端までケーブルを配置するような場合にも、本発明を実施することができる。上記の実施形態では、ケーブル抑え具４０に形成した切り込み４２は、ケーブル抑え具４０の両側にそれぞれ形成したが、いずれか一方のみに切り込み４２を形成するだけでもよい。上記の実施形態では、ケーブル抑え具４０は、ケーブル通路３６の突部３８に一体に形成したが、ケーブル通路３６に隣接するシャーシ１４やヒートシンクのうちケーブル通路３６に近い位置に設けることもできる。
【符号の説明】
【００２９】
２  筐体
３２  ケーブル
３６  ケーブル通路
４０  ケーブル抑え具
【図１】
2015090919.tif 000003
【図２】
2015090919.tif 000004
【図３】
2015090919.tif 000005